(57)【要約】【課題】構造が強固になり、箍を遮蔽用ケースに安定して固定できるコネクタを提供する。【解決手段】多数の端子嵌め溝１１が設けられている端子本体１０を含む。各端子嵌め溝１１に端子１２がそれぞれ挿入してあり、端子本体１０の周面にはプレス加工により成形された遮蔽用ケース２０がカバーしている。更に箍３０を含み、箍３０には嵌め穴３１が開設してあり、箍３０が遮蔽用ケース２０の周面にぴったりと嵌められている。箍３０には突出アーム３２が多数に凸設してあり、各突出アーム３２の自由端３２１が湾折されて端子本体１０の後側端に係られている。遮蔽用ケース２０の前端の近傍には止め部２１が凸設してあり、遮蔽用ケース２０の前端には固定板２２が設けられ、固定板２２と各止め部２１との間には箍３０をぴったりと挟んで保持する挟み溝２３が形成されている。【選択図】図１
0003130902.tif 000002
【実用新案登録請求の範囲】
【請求項１】
多数の端子嵌め溝が設けられている端子本体を備え、各前記端子嵌め溝に端子がそれぞれ挿入してあり、前記端子本体の周面にはプレス加工により成形された遮蔽用ケースがカバーしているコネクタにおいて、
更に箍を備え、前記箍には嵌め穴が開設してあり、前記箍が前記遮蔽用ケースの周面に嵌められていることを特徴とするコネクタ。
【請求項２】
前記箍には突出アームが多数に凸設してあり、前記箍が前記遮蔽用ケースに安定して固定されるように、各前記突出アームの自由端が湾折されて端子本体の後側端に係られていることを特徴とする請求項１に記載のコネクタ。
【請求項３】
前記箍の底縁には、回路板の挿入穴に挿入可能な固定ストリップが凸設されていることを特徴とする請求項１に記載のコネクタ。
【請求項４】
前記箍の固定ストリップは、回路板のアース回路と電気的に連接することを特徴とする請求項３に記載のコネクタ。
【請求項５】
前記遮蔽用ケースの前端の近傍には止め部が凸設してあり、前記遮蔽用ケースの前端には固定板が設けられ、前記固定板と前記各止め部との間には前記箍をぴったりと挟んで保持する挟み溝が形成されていることを特徴とする請求項１に記載のコネクタ。
【請求項６】
前記遮蔽用ケースの前端の近傍には多数の止め部が凸設され、前記各止め部が二列に並んでおり、二列の止め部の間には前記箍をぴったりと挟んで保持する挟み溝が形成されていることを特徴とする請求項１に記載のコネクタ。
【請求項７】
前記遮蔽用ケースの前端の近傍には少なくとも一つの止め部が凸設され、前記箍が前記遮蔽用ケースで後退しないように、前記止め部が前記箍の背面に当接することを特徴とする請求項１に記載のコネクタ。
【考案の詳細な説明】
【技術分野】
【０００１】
本考案は、コネクタに係り、特に、コネクタの遮蔽用ケースの周面に箍を嵌め設けることにより、遮蔽用ケースの金属板の二つの対向端の互いに接触する箇所が外力で変形することを回避可能な箍付きコネクタに関するものである。
【背景技術】
【０００２】
目下、従来のコネクタは、図８に示すように、多数の端子５１１が嵌め設けられた端子本体５１を含み、前記端子本体５１の周面に遮蔽用ケース５２が嵌め設けてある。前記遮蔽用ケース５２は、単一の金属板がプレス加工によって成形されたものであり、ほぼ筐体を呈し、且つ筐体には金属板の二つの対向端５２ａ、対向端５２ｂの互いに接触する箇所があり、前記接触箇所は一般に溶接されないので、実際には、外力を受けると、遮蔽用ケース５２が前記接触箇所から変形して開けられるようになることがあり、すなわち、不適正な力でプラグをコネクタに挿入し、又は、異なる仕様のプラグをコネクタに挿入する場合には、遮蔽用ケース５２が前記接触箇所から変形して開けられるようになり、図８における二点鎖線に示すように、端子本体５１の周面を密に覆うことができず、且つ挿入されたプラグを密に挟むこともできず、ひいてはコネクタが損壊する虞がある。
【考案の開示】
【考案が解決しようとする課題】
【０００３】
本考案の主な目的は、コネクタ全体の構造がもっと強固になり、使用寿命がもっと長くなり、箍が遮蔽用ケースに安定して固定され、プラグがコネクタに挿入されるときに、コネクタが後退しなくなる箍付きのコネクタを提供することにある。
【課題を解決するための手段】
【０００４】
上記目的を達成するためになされた本考案は、多数の端子嵌め溝が設けられた端子本体を含み、前記各端子嵌め溝に端子がそれぞれ挿入してあり、前記端子本体の周面にはプレス加工により成形された遮蔽用ケースがカバーしているコネクタにおいて、更に、箍を含み、前記箍には嵌め穴が開設してあり、前記箍が前記遮蔽用ケースの周面にぴったりと嵌められることを特徴とするコネクタであることを要旨としている。
【０００５】
本考案では、前記箍には突出アームが多数に凸設してあり、前記箍が前記遮蔽用ケースに安定して固定されるように、前記各突出アームの自由端が湾折されて端子本体の後側端に係られていることを特徴とする請求項１に記載のコネクタであることを要旨としている。
本考案では、前記箍の底縁には回路板の挿入穴に挿入可能な固定ストリップが凸設してあることを特徴とする請求項１に記載のコネクタであることを要旨としている。
【０００６】
本考案では、前記箍の固定ストリップは回路板のアース回路と電気的に連接することを特徴とする請求項３に記載のコネクタであることを要旨としている。
本考案では、前記遮蔽用ケースの前端の近傍には止め部が凸設してあり、前記遮蔽用ケースの前端には固定板が設けてあり、前記固定板と前記各止め部との間には前記箍をぴったりと挟んで保持する挟み溝が形成してあることを特徴とする請求項１に記載のコネクタであることを要旨としている。
【０００７】
本考案では、前記遮蔽用ケースの前端の近傍には多数の止め部が凸設してあり、前記各止め部が二列に並んでおり、二列の止め部の間には前記箍をぴったりと挟んで保持する挟み溝が形成されていることを特徴とする請求項１に記載のコネクタであることを要旨としている。
本考案では、前記遮蔽用ケースの前端の近傍には少なくとも一つの止め部が凸設してあり、前記箍が前記遮蔽用ケースで後退しないように、前記止め部が前記箍の背面に当接することを特徴とする請求項１に記載のコネクタであることを要旨としている。
【考案の効果】
【０００８】
本考案のコネクタによれば、次のような効果がある。
（イ）箍３０が遮蔽用ケース２０、遮蔽用ケース２０ｂ、遮蔽用ケース２０ｃの外周に嵌め設けられているので、金属板のプレス加工によって成形された遮蔽用ケース２０、遮蔽用ケース２０ｂ、遮蔽用ケース２０ｃの二つの対向端２０１、対向端２０２の互いに接触する箇所は、プラグがコネクタに挿入されているときに、外力により外側へ変形しなくなり、コネクタ全体の構造がもっと強固になり、使用寿命がもっと長くなる。
【０００９】
（ロ）箍３０の突出アーム３２にある自由端３２１は湾折されて端子本体１０と遮蔽用ケース２０、遮蔽用ケース２０ｂ、遮蔽用ケース２０ｃとの後側端に係られているので、箍３０が遮蔽用ケース２０、遮蔽用ケース２０ｂ、遮蔽用ケース２０ｃに安定して固定される。
（ハ）箍３０の固定ストリップ３３が回路板４０にある挿入穴４１に挿入されているので、コネクタ全体が安定して固定されるようになり、プラグがコネクタに挿入されるときに、コネクタが後退しなくなる。
【考案を実施するための最良の形態】
【００１０】
以下、添付図面を参照して本考案の好適な実施の形態を詳細に説明する。
まず、図１から図４を参照する。本考案の実施例１によるコネクタは、端子１２がそれぞれ挿入してある多数の端子嵌め溝１１を有する端子本体１０と、金属板のプレス加工によって成形され、端子本体１０の周面を覆う遮蔽用ケース２０と、遮蔽用ケース２０の周面にぴったりと嵌合可能な嵌め穴３１が開設してあり、外力を受けても、遮蔽用ケース２０の金属板の二つの対向端２０１、対向端２０２の互いに接触する箇所が外側へ変形しないようにする箍３０とを含む。
【００１１】
また、図１から図４に示すように、本実施例の箍３０には突出アーム３２が多数に凸設してあり、前記箍３０が前記遮蔽用ケース２０に安定して固定されるように、前記各突出アーム３２の自由端３２１が湾折されて端子本体１０の後側端に係られている。
また、図１と図３と図４に示すように、本実施例のコネクタは、箍３０が金属板のプレス加工によって成形されたものであり、且つ箍３０の底縁には回路板４０の挿入穴４１に挿入可能な固定ストリップ３３が凸設してあり、これにより、プラグが挿入されても、コネクタ全体が安定して固定されて後へ後退しなくなる。前記固定ストリップ３３は回路板４０のアース回路と電気的に連接するが、本考案はこれに限定されない。
【００１２】
本実施例のコネクタは、遮蔽用ケース２０の前端の近傍に少なくとも一つの止め部２１が凸設してあり、前記止め部２１が当該箍３０の背面に当接し、図１と図２に示すように、遮蔽用ケース２０の前端には固定板２２が設けてあり、固定板２２と各止め部２１との間には箍３０をぴったりと挟んで保持する挟み溝２３が形成してあり、これにより、箍３０が遮蔽用ケース２０に安定して嵌められるようになる。また、本考案の実施例２によるコネクタは、図５に示すように、遮蔽用ケース２０ｂの前端の近傍に多数の止め部２１ｂが凸設してあり、各止め部２１ｂが二列に並んでおり、二列の止め部２１ｂの間には箍３０をぴったりと挟んで保持する挟み溝２３ｂが形成してある。また、本考案の実施例３によるコネクタは、図６と図７に示すように、遮蔽用ケース２０ｃの前端の近傍に少なくとも一つの止め部２１ｃが凸設してあり、箍３０が遮蔽用ケース２０ｃで後退しないように、前記止め部２１ｃが前記箍３０の背面に当接し、そして、前記箍３０が前記遮蔽用ケース２０ｃに安定して固定されるように、前記各突出アーム３２の自由端が湾折されて端子本体１０と遮蔽用ケース２０ｃとの後側端に係られている。
上記では、種々の実施の形態および変形例を説明したが、本考案はこれらの内容に限定されるものではない。本考案の技術的思想の範囲内で考えられるその他の態様も本考案の範囲内に含まれる。
【図面の簡単な説明】
【００１３】
【図１】本考案の実施例１によるコネクタを示す分解斜視図である。
【図２】本考案の実施例１によるコネクタを示す斜視図である。
【図３】本考案の実施例１によるコネクタの回路板に組み付けた状態を示す斜視図である。
【図４】図３を４−４線で切断した断面図である。
【図５】本考案の実施例２によるコネクタを示す斜視図である。
【図６】本考案の実施例３によるコネクタを示す斜視図である。
【図７】図６を別の視点から見た斜視図である。
【図８】従来のコネクタの斜視図である。
【符号の説明】
【００１４】
１０：端子本体、１１：端子嵌め溝、１２：端子、２０：遮蔽用ケース、２０ｂ：遮蔽用ケース、２０ｃ：遮蔽用ケース、２１：止め部、２１ｂ：止め部、２１ｃ：止め部、２２：固定板、２３：挟み溝、２３ｂ：挟み溝、３０：箍、３１：嵌め穴、３２：突出アーム、３３：固定ストリップ、４０：回路板、４１：挿入穴、５１：端子本体、５２：遮蔽用ケース、５２ａ：対向端、５２ｂ：対向端、２０１：対向端、２０２：対向端、３２１：自由端、５１１：端子
【図１】
0003130902.tif 000003
【図２】
0003130902.tif 000004
【図３】
0003130902.tif 000005
【図４】
0003130902.tif 000006
【図５】
0003130902.tif 000007
【図６】
0003130902.tif 000008
【図７】
0003130902.tif 000009
【図８】
0003130902.tif 000010